(57)【特許請求の範囲】
【請求項１】
補修しようとする布の組織図に、傷穴を囲む「はぎ目」を記入すると共に、はぎ目か又はその付近に共布の糸足を挿し込む方法を記号で表示した組み合わせ図を作製し、前記記号に従って共布の糸足を補修しようとする布に挿し込むことを特徴とするかけはぎ方法。
【請求項２】
前記組み合わせ図において、共布の糸足を補修しようとする布に挿し込む方法を記号で表示する場合、線の片側に補修しようとする布を構成する糸の上（浮き）、下（沈み）と、共布の糸足を挿し込む位置を表示し、線の他の側には、共布の糸足の上（浮き）、下（沈み）を表示することを特徴とする請求項１記載のかけはぎ方法。
【請求項３】
補修しようとする布を、マンジュウに固定し、マンジュウの下面に沿って凹みを有する作業台を置き、作業台上の最適の位置にマンジュウを固定できるようにしたことを特徴とする請求項１又は請求項２記載のかけはぎ方法。
【請求項４】
補修しようとする布の傷穴の四周の糸を抜糸して、はぎ目を作る場合、棒の先端が湾曲し、湾曲部の内側に切り欠きが設けられている糸抜き棒を用いることを特徴とする請求項１乃至請求項３のいずれか１項記載のかけはぎ方法。
【請求項５】
補修しようとする布の裏面に引き出された共布の糸足を、固定及び／又は覆い隠すことを特徴とする請求項１乃至請求項４のいずれか１項記載のかけはぎ方法。
【請求項６】
請求項１乃至請求項５のいずれか１項記載のかけはぎ方法でかけはぎした布。
【発明の詳細な説明】
【０００１】
【発明の属する技術分野】
本発明は、傷のある布を補修するための、かけはぎ方法と、この方法でかけはぎした布に関するものである。かけはぎは、かけつぎとも言われ、いくつかの手法があるが、本発明は特に傷の部分に共布を組織に合わせて挿し込む本格的なかけはぎ法に関するものである。
【０００２】
【従来の技術】
かけはぎのうち、本格的なかけはぎ法とは、布の虫穴、焼穴、カギ裂等の傷を補修する方法として、傷の四周を抜糸して「はぎ目」を作り、この「はぎ目」に共布の糸足を挿し込んで傷を目立たなくする方法である。
【０００３】
かけはぎには、本格的なかけはぎ法のほか、糸入れ法、ます掛け（割りつぎ）、切りばみなどの方法がある。
【０００４】
糸入れ法は共布を使わず、傷の部分に布の組織通り糸を織込む方法であるが、小さい傷しか直せないため利用できるケースは限られる。（例えば、非特許文献１。）
【０００５】
ます掛け（割りつぎ）では、傷の部分を四角に切り取り、そこに縫い代を作った共布を非常に細い糸で縫い合わせる方法であり、料金は安いが、縫い合わせの際が目立ちやすい。（例えば、非特許文献１。）
【０００６】
切りばみとは、傷の部分を四角く切り取り、そこに切り取った部分と同じ大きさの共布をはめ込ませる方法で、料金は安いが、共布の際が目立ちやすく、クリーニングにも弱い欠点がある。（例えば、非特許文献１。）
【０００７】
また、布地における簡易かけつぎ方法として、布地の補修必要箇所をカッターで取除き、同じカッターを用いて共布をカットして補修布を用意し、布地の補修必要箇所に補修布を生地の目あるいは柄に合わせて挿入し、カットして取除かれた切り口の周囲、並びにカットした補修布の周囲にパウダー糊を付けて、補修布及び被服を裏返して、裏面に補修布より大きな布テープを被覆し、熱圧着により補修布と被服と布テープとを一体に貼着する方法が開示されている。しかしこの方法も際が目立ちやすいとともにはがれやすく、クリーニングに弱い欠点は否定できない。（例えば、特許文献１。）
【０００８】
【特許文献１】
特開平７−２５２７６７号公報（第１頁、第１−３図）
【非特許文献１】
”かけはぎについて”、［ｏｎｌｉｎｅ］、［２００３年１月２８日検索］、インターネット＜ｈｔｔｐ：／／ｗｗｗ．ｂｃ．ｗａｋｗａｋ．ｃｏｍ／~ｄｃｈｍｍａ−２０／ｋａｋｅｈａｇｉ．ｈｔｍ＞
【０００９】
【発明が解決しようとする課題】
かけはぎ方法の中で仕上がりが良く、クリーニングにも強い本格的なかけはぎ方法である本かけはぎ又は織込み方法は手間がかかると共に、織り組織の解析の表示方法がなく、多種・多様の変化に対する説明が十分になされていないことと、そのため、料金も割高となる欠点がある。しかも、ドスキンやタキシードクロス等のほか、複雑な組織のかけはぎは困難か、ほとんど不可能とされている。
本発明は上記の課題を解決し、複雑な織り組織の布でも仕上がりが良く、クリーニングにも強く、正確にしかも効率的にかけはぎできる方法を提供しようとするものである。
【００１０】
【課題を解決するための手段】
本発明は、前記課題を解決するため以下の手段を提供することとした。請求項１の発明は、補修しようとする布の組織図に、傷穴を囲む「はぎ目」を記入するとともに、「はぎ目」か、又はその付近に共布の糸足を挿し込む方法を記号で表示した組み合わせ図を作製し、前記記号に従って共布の糸足を補修しようとする布に挿し込むことを特徴とするかけはぎ方法である。
【００１１】
共布は、補修しようとする織物と同じ組織であるから、組織図は両者同一であるはずであるが、補修しようとする布の「はぎ目」に、共布のどの部分が挿し込まれるか明確にするためには、共布の組織図と糸足の状態を示した方がよい。
【００１２】
請求項２の発明は、組み合わせ図において、共布の糸足を補修しようとする布に挿し込む方法を記号で表示する場合、線の片側に補修しようとする布を構成する糸の上（浮き）、下（沈み）と、共布の糸足を挿し込む位置を表示し、線の他の側には、共布の糸足の上（浮き）、下（沈み）を表示することを特徴とする請求項１記載のかけはぎ方法である。
【００１３】
また、組み合わせ図において、クリンプ（抜糸した位置で連続して糸が浮きとなるところ）が発生した場合、その位置を表示し、かけはぎ作業の目印とし、柄の流れ（斜文の方向）が変わる場合、又は織り方の種類の変化などがあれば、その場所を表示することとすると、作業がより円滑に進めることができる。
【００１４】
請求項３の発明は、補修しようとする布をマンジュウに固定し、マンジュウの下面に沿って凹みを有する作業台を置き、作業台上の最適の位置にマンジュウを固定できるようにした請求項１又は請求項２記載のかけはぎ方法である。
【００１５】
請求項３の発明によれば、補修しようとする布をマンジュウにピン針で固定することでかけはぎ作業に両手を使用できるところに特徴がある。従来の技術では、片手で補修しようとする布を保持し、拡大鏡で観察しながら他の手でかけはぎ作業をしているが、拡大鏡の倍率では複雑な組織では実行は困難である。顕微鏡を使用すれば組織の細かいところまで観察できるが、片手で補修しようとする布を持っていると、ブレが大きく焦点がずれるため、実際上作業は困難である。
【００１６】
請求項３の発明は、拡大鏡よりも高倍率の顕微鏡を使用して作業ができるようにしたものであり、補修しようとする布をマンジュウにピン針で固定し、マンジュウは凹みのある作業台上に周囲に錘を置いて任意の位置に固定し、両手を自由に使いながら、顕微鏡下でかけはぎ作業をできるようにした。このことは、マンジュウの角度を適宜変更できるようにし、布を構成する糸の組み合わせ構造を鮮明に観察することを可能とした。
【００１７】
請求項４の発明は、補修しようとする布の傷穴の四周の糸を抜糸して、はぎ目を作る場合、棒の先端が湾曲し、湾曲部の内側に切り欠きが設けられている糸抜き棒を用いることを特徴とする請求項１乃至請求項３のいずれか１項記載のかけはぎ方法である。
【００１８】
はぎ目を作るにあたって、従来は抜こうとする糸の中央部をピンセットで持ち上げ、鋏で持ち上げた所を切っていたが、組織が複雑であると、この作業は困難となる。本発明の糸抜き棒を用い、傷のまわりに影響を与えないよう顕微鏡下で糸をすくい、カッターですくった部分を削ぐことにより、例えばドスキンのような糸の撚りが甘く打込みの強い複雑な組織の布でも容易に作業ができるようになった。
【００１９】
請求項５の発明は、補修しようとする布の裏面に引き出された共布の糸足を固定及び／又は覆い隠すことを特徴とする請求項１乃至請求項５のいずれか１項記載のかけはぎ方法である。
【００２０】
補修しようとする布の裏面に引き出された共布の糸足がそのままであると、布を裏返しにしたとき、体裁が悪く糸足がゴロゴロするのでこれを改善しようとするものである。
【００２１】
補修しようとする布の裏面に引き出された共布の糸足を固定する方法として、補修しようとする布の裏面に挿し込む方法と、接着剤で接着する方法が考えられる。また、別の布を共布の糸足の全体を覆うようにして接着剤で貼り付けるか、細かい糸で縫いつける方法も考えられる。また、共布の糸足を固定した上で、その部分を別の布で覆うこともある。
【００２２】
請求項６の発明は、請求項１乃至請求項５のいずれか１項記載のかけはぎ方法でかけはぎした布である。
【００２３】
【発明の実施の形態】
本発明の実施の形態を図に基づいて説明する。図１は、本発明のかけはぎフロー図である。補修しようとする布の傷口の四周の糸を抜糸してはぎ目を作る。
このとき、補修しようとする布の組織図と、補修しようとする布と共布の組み合わせ図を作る。次に四角に切り出した共布の一面をはつって糸足を出し、はぎ目の一面（Ａ面とする）に共布の糸足を図面に基づいて挿し込む。
【００２４】
Ａ面の挿し込みが終了したら、補修しようとする布を９０度回転して次の面（Ｂ面）に共布の糸足を図面に基づいて挿し込む。
【００２５】
同様にして、Ｃ面、Ｄ面の挿し込みを行う。
【００２６】
挿し込みが終わったら、はぎ目を中心にして、補修しようとする布と共布とを互いにとめ縫いをする。とめ縫いに使う糸は、なるべく同色の細くて強い糸を用いる。
【００２７】
とめ縫いが終わったら、布を裏返しにし、共布の糸足を引いて、表に出ている分を裏側に出す。
【００２８】
裏側に引き出された共布の糸足を補修しようとする布に挿し込むか、あるいは接着剤で固定する。また別の布を共布の糸足の全体を覆うようにして接着剤で貼り付けるか、細かい糸で縫付ける。また共布の糸足を固定した上で、その部分を別の布で覆うこともある。
【００２９】
図２は、本発明で使用する作業装置、特に請求項３に記載する作業装置を示す要部斜視図で、（ａ）は実体顕微鏡の要部斜視図、（ｂ）は補修しようとする布を取付けた作業台の斜視図である。傷口１を有する補修しようとする布２を複数のピン針３，３，・・・でマンジュウ４に固定する。マンジュウ４は洋裁などで針を立てるために使用されているもので、平面視楕円形で、おおよそ縦２０ｃｍ、横２０ｃｍ、高さ１０ｃｍ程度のものである。マンジュウ４を載せる作業台５は、マンジュウ４の底面に沿った形の凹み６を有し、段ボール紙等で作られている。作業台５の凹み６に嵌めこまれたマンジュウ４は複数の錘７，・・・で押えられ、容易に動かないようになっている。
【００３０】
本発明で使用する実体顕微鏡は最大倍率が５５倍程度のものを用い、対物レンズ１５と補修しようとする布２との間隙は、作業する空間を確保するため１０ｃｍ程度以上あることが望ましい。
【００３１】
図３は、請求項４に記載する糸抜き棒８の側面図である。糸抜き棒８の先端に湾曲部９があり、湾曲部９の内側に切り欠き１０が設けられている点に特徴がある。
【００３２】
補修しようとする布の傷口の四周の糸を抜糸してはぎ目を作る場合、抜き糸の中心をまず持ち上げてカットする必要があり、従来使用されてきたピンセットと鋏に替えて、この糸抜き棒８を下に挿し込みカッターで削ぐことで、複雑で細かい組織でもまわりの組織を傷めずに作業の実施が可能となる。
【００３３】
図４は、補修しようとする布２の拡大平面図である。傷口１の四周の抜き糸１１，１１・・・を抜糸してはぎ目を作る。
図５は、共布の拡大平面図であって、共布の周辺の糸をはつって糸足１２，・・・を作り、補修しようとする布２のはぎ目に挿し込んでかけはぎ作業を行う。
【００３４】
図６（ａ）は補修しようとする布に共布の糸足を挿し込んだ状態の表面の拡大図であり、図６（ｂ）はその裏面図である。
はぎ目を作るため抜糸した抜き糸１３の先端は、はぎ目の四隅に引き出されている。共布の糸足の先端１４ははぎ目から補修しようとする布２の裏面に引き出されている。
【００３５】
図７（ａ）は、平織りの場合の組織図である。抜き糸１１，・・・の位置が示してあり、この部分が抜糸されてはぎ目となる。
【００３６】
図７（ｂ）は、補修しようとする布２の方向によって上糸（浮き糸）、下糸（沈み糸）の関係が変化することを示す。例えばＡ面に対してかけはぎ作業をする際は、白地の部分が上糸となり、斜線を引いた部分が下糸となる。Ｃ面についてもＡ面と同様の関係が成立する。しかし、Ｂ面とＤ面ではこの関係が反対となる。
【００３７】
図８は、はぎ目か又はその周囲に共布の糸足を挿し込む方法を記号で表示した組み合わせ図の一例を示した。図８（ａ）は右挿し、図８（ｂ）は左挿しの場合である。横線の上の記号は、はぎ目の一段上の補修しようとする糸の上（浮き糸）、下（沈み）を支示し、折れ線の記号は上糸、丸印は下糸を示す。横線の下の上の字は共布の糸足がはぎ目において上糸であり、下の字ははぎ目において下糸であることを示す。始、終の字は同種の組織においてかけはぎを開始する場所と、同種の組織が終わる場所を示す。
【００３８】
図９は、３．１２ヘリンボーンの組織をもつ布の組織図である。
図１０は、図９において、補修しようとする布と共布の糸足との組み合わせを示す図である。（１）の記号は、はぎ目の１段上に共布の糸足を挿し込むことを示し、矢印は連続して糸が浮くようになった場所、いわゆるクリンプ１８の場所を示している。クリンプ１８は共布の糸足を挿し込む位置を確認するのに利用できる。また、斜文の方向の変わる位置１９を図示した。
【００３９】
図１１は１１・１１（Ａ−１）の組織をもつ布の組織図である。また、図１２は図１１に対する組み合わせ図である。図１２において、（２）は、はぎ目の２段上に共布の糸足を挿し込むことを示す。
図１１，図１２においてマーク１６は、抜き糸の一段下の糸に例えば油性の白鉛筆等でマーク（目印）をし、抜き糸の位置を確認するためのものである。複雑で細かい組織では、抜き糸の位置が目視できないため、抜き糸の位置と挿す位置を間違いやすいからである。
【００４０】
また、柄の流れ（斜文の方向）が変わる場合や、柄の種類（織り方）が変わる場合はその旨を組織図や組み合わせ図に記入したらよい。また、上糸、下糸を二本以上まとめて挿し込むことができる場合があり、このときもその旨図に記入する。
【００４１】
図１３は、９・９礼服Ｂ−１（カシミヤ）の組織図であり、図１４は、その組み合わせ図である。この服地は、打ち込み密度が緯４４本／ｃｍ、経６０本／ｃｍと大であり、二重抜き糸１７をする必要がある。組織が細かいため、一重ではクリンプが探せないからである。また抜き糸の下の段にマーク１６を例えば白い油性鉛筆で記入して、抜き糸の位置の間違いがないようにする。
【００４２】
図１５は１３・１３礼服（ドスキン）の組織図であり、図１５は、その組み合わせ図である。この場合、打ち込みは緯４０本／ｃｍ、経６０本／ｃｍである。マーク１６を記入することは図１３、図１４と同様である。
【００４３】
カシミヤ、ドスキンは、糸の密度が大であるとともに、生地に光沢を出すため、糸の撚りが甘くなっていることから、抜き糸をするとき、糸が割れやすく、すくい難いという問題があり、本発明の糸抜き棒８を用いることでこの作業を容易かつ確実にすることで問題を解決した。
【００４４】
【発明の効果】
請求項１に示す発明は、周期性のある織物であれば、組織図と組み合わせ図を作製することにより、すべての織物の種類が理解可能（一枚の紙に表現できること）となり、パターン化することで分類等データ管理ができる。つまり、抜き糸の位置によって、補修しようとする布と共布の組み合わせは多様に変化し、３・１２ヘリンボーンの場合、Ａ面では１２×１２＝１４４種類の変化が生じ、他の面でも同様の変化を生じる。上記種類のうち、任意の位置を本発明により一枚の紙に表現解説できる。また、最小組織の書き出しで確実に抜き糸と共布の位置合わせ、挿す位置、挿す順序等がわかり、作業進行状況を容易に把握できる。
【００４５】
請求項２の発明は、組み合わせ図において必ず記載すべき事項を示した。なお、このことはその他必要な事項を記入することを制限するものではない。必要に応じて、かけはぎ作業に参考となる事項を記入すべきことは当然である。これらの事項を記入することで、かけはぎ作業が確実に、しかも容易に実施可能となる。
【００４６】
請求項３の発明は、本発明において使用する器具等に関するものである。従来使用されてきた拡大鏡（倍率は数倍）に対し、高倍率の実体顕微鏡（最大倍率５５倍等）を用い、補修しようとする布をマンジュウに固定し、マンジュウの位置は調節可能に作業台上に固定することで、複雑で細かい組織の布でもかけはぎを可能にした。このとき、従来は片手で作業していたのを、本発明では両手を使えるようにしたことで作業の効率化がはかられている。
【００４７】
請求項４の発明は糸抜き棒に関するものであって、従来使っていたピンセットではとても実施できないような複雑で細かい組織の布でも、比較的容易にかけはぎを実施できるようになった。
【００４８】
請求項５の発明では、補修しようとする布の裏面に引き出された共布の糸足を補修しようとする布と一体化させ、美感の向上と耐久性のあるかけはぎができるようにした。
【００４９】
請求項６の発明では、請求項１乃至請求項５のいずれか１項記載のかけはぎ方法でかけはぎした布を提供することにより、損傷した布を補修することにより、資源の無駄な損失を防止することができる。また、従来不可能とされてきた黒の礼服（カシミヤ、ドスキン等）もかけはぎ可能となり、傷穴やはぎ目も表面からはほとんどわからないようにできる。
【００５０】
近年、住宅の気密性が高まり、通気性がなく、地球温暖化の影響もあって衣服の虫穴の発生が増大している。これら需要の増大に対し、供給は全く進展していない。
もともと、かけつぎの業界は閉鎖的で、技術を人に教えることは商売仇を作ることになるというおそれがあることや、業者数も少なく、技術もまちまちで、独自に勘にたよっているため論理性に乏しく、生産性も上がらず、時間ばかりがかかり、高価格という現状である。
【００５１】
本発明は多くの人がかけはぎ方法を容易に理解し、実行できるようにすることで、（１）在宅ワークが可能、（２）１人でできる、（３）仕事場がわずかでよい、（４）音がしない、（５）仕入れがいらない、（５）設備が極少でよい、（６）技術者が少なく存在価値がある、等、仕事に恵まれないリストラされた人々、身体障害者（車椅子で生活している人、耳や発音が不自由な人）等も自立して活躍できる機会を与えることができる。
【図面の簡単な説明】
【図１】本発明に係るかけはぎフロー図である。
【図２】本発明で使用する作業装置の要部斜視図である。（ａ）は実体顕微鏡の要部斜視図、（ｂ）は補修しようとする布を取付けた作業台の斜視図である。
【図３】糸抜き棒の側面図である。
【図４】補修しようとする布の拡大平面図である。
【図５】共布の拡大平面図である。
【図６】補修しようとする布に、共布の糸足を挿し込んだ状態の拡大図である。（ａ）は表面図、（ｂ）は裏面図である。
【図７】平織の組織図の１例である。（ａ）組織図に抜き糸の位置を記入した図である。（ｂ）組織図において、上糸と下糸の関係を示す図である。
【図８】組み合わせ図で用いる記号である。（ａ）は右挿し、（ｂ）は左挿しの場合である。
【図９】３・１２ヘリンボーンの組織図である。
【図１０】３・１２ヘリンボーンの組み合わせ図である。
【図１１】１１・１１（Ａ−１）の組織図である。
【図１２】１１・１１（Ａ−１）の組み合わせ図である。
【図１３】９・９礼服Ｂ−１（カシミヤ）の組織図である。
【図１４】９・９礼服Ｂ−１（カシミヤ）の組織図である。
【図１５】１３・１３礼服（ドスキン）の組織図である。
【図１６】１３・１３礼服（ドスキン）の組織図である。
【符号の説明】
１  傷口
２  補修しようとする布
３  ピン針
４  マンジュウ
５  作業台
６  凹み
７  錘
８  糸抜き棒
９  湾曲部
１０  切り欠き
１１，１３  抜き糸
１２  糸足
１４  共布の糸足の先端
１５  対物レンズ
１６  マーク
１７  二重抜き糸
１８  クリンプ
１９  斜文の方向が変わる位置
【図１】
0003673790.tif 000002
【図２】
0003673790.tif 000003
【図３】
0003673790.tif 000004
【図４】
0003673790.tif 000005
【図５】
0003673790.tif 000006
【図６】
0003673790.tif 000007
【図７】
0003673790.tif 000008
【図８】
0003673790.tif 000009
【図９】
0003673790.tif 000010
【図１０】
0003673790.tif 000011
【図１１】
0003673790.tif 000012
【図１２】
0003673790.tif 000013
【図１３】
0003673790.tif 000014
【図１４】
0003673790.tif 000015
【図１５】
0003673790.tif 000016
【図１６】
0003673790.tif 000017